(57)【要約】【課題】ユーザが携帯端末を持っている方の手でタッチ操作画面を快適に操作できるようにする。【解決手段】両手の指紋情報を登録する指紋情報登録部１４と、指紋センサ３０により検出された指紋情報が右手または左手の指紋情報に該当するか否かを判定する指紋判定部１５と、左右何れかの指紋情報に該当すると判定された場合、該当する方の手で携帯端末を持った状態において当該手の指の可動範囲としてタッチパネル２０の中に設定された一部範囲にタッチ操作画面を表示させる画面表示制御部１６とを備え、片手が塞がっているユーザが空いている方の手で携帯端末を持ち、その手の指を使って指紋認証を行った場合に、指紋認証に使った手の指の可動範囲内にのみタッチ操作画面を表示させることにより、ユーザの片手が塞がっている状態であっても、空いている手を使ってタッチ操作画面を快適に操作できるようにする。【選択図】図１
2019212116.tif 000002
【特許請求の範囲】
【請求項１】
携帯端末のディスプレイに対するタッチ操作画面の表示を指紋認証に応じて制御する装置であって、
右手の指紋情報および左手の指紋情報を登録して記憶部に記憶させる指紋情報登録部と、
上記携帯端末の指紋センサにより検出された指紋情報である入力指紋情報と、上記記憶部に記憶されている指紋情報である登録指紋情報とを比較し、上記入力指紋情報が上記右手の指紋情報または上記左手の指紋情報に該当するか否かを判定する指紋判定部と、
上記指紋判定部により上記入力指紋情報が上記右手の指紋情報または上記左手の指紋情報の何れかに該当すると判定された場合、右手または左手のうち上記指紋情報が該当すると判定された方の手で上記携帯端末を持った状態において上記該当すると判定された方の手の指が可動し得る範囲として上記ディスプレイの全表示範囲の中にあらかじめ設定された一部範囲に上記タッチ操作画面を表示させる画面表示制御部とを備えたことを特徴とする携帯端末の画面表示制御装置。
【請求項２】
上記画面表示制御部は、上記一部範囲に上記タッチ操作画面を表示させた後、上記ディスプレイの全表示範囲のうち上記一部範囲とは異なる他の範囲がタッチ操作された場合に、上記ディスプレイの全表示範囲に上記タッチ操作画面を表示し直すことを特徴とする請求項１に記載の携帯端末の画面表示制御装置。
【請求項３】
上記画面表示制御部は、上記タッチ操作画面を操作していない時間が所定時間継続した場合に、タッチ操作ができないようにするためのロック画面を表示させ、当該ロック画面の表示中に上記指紋判定部により上記入力指紋情報が上記右手の指紋情報または上記左手の指紋情報の何れかに該当すると判定された場合、上記ロック画面を解除して上記一部範囲に上記タッチ操作画面を表示させることを特徴とする請求項１または２に記載の携帯端末の画面表示制御装置。
【請求項４】
上記画面表示制御部は、上記携帯端末のモーションセンサにより検出された上記携帯端末の傾き情報に基づいて、上記ディスプレイの全表示範囲の中での上記一部範囲の位置および上記タッチ操作画面の表示の向きを変えることを特徴とする請求項１〜３の何れか１項に記載の携帯端末の画面表示制御装置。
【発明の詳細な説明】
【技術分野】
【０００１】
本発明は、携帯端末の画面表示制御装置に関し、特に、携帯端末のディスプレイに対するタッチ操作画面の表示を指紋認証に応じて制御する装置に用いて好適なものである。
【背景技術】
【０００２】
一般に、スマートフォンやタブレット等の携帯端末には、紛失時などに本体内の情報を見られるリスクを減らすことなどを目的として、タッチ操作画面を操作していない時間が所定時間継続した場合に、画面を自動的にロックする機能が備えられている。ロック画面を解除してタッチ操作画面を表示させるための手段として、ユーザがあらかじめ登録しておいたパスワードやパターンの入力による認証の他、指紋認証も知られている（例えば、特許文献１参照）。
【０００３】
特許文献１に記載の電子機器は、タッチスクリーンディスプレイの下方で幅方向中央の位置に指紋センサを備え、指紋センサにより検出されるユーザの指紋情報を用いて指紋認証を行い、認証に成功した場合に、ボタン操作の受け付けを制限するロック画面を解除する。
【０００４】
なお、最近はスマートフォンなどの携帯端末の画面が大型化し、携帯端末を片手で保持して同じ片手の親指のみで操作することが困難となっている。この点について、特許文献１には、あらかじめ登録された親指の指紋情報により指紋認証が行われた場合に、ロック画面を解除して片手用のユーザインタフェース画面（例えば、ディスプレイの長手方向における下方向にホーム画面のアイコンをスライドした画面、あるいは、ホーム画面の一部のアイコンをディスプレイの下側領域に集約して表示する画面など）を表示することが開示されている。
【０００５】
なお、特許文献２にも、タッチパネルを備えた携帯型電子機器において、片手用の表示画面を表示させることが開示されている。すなわち、特許文献２に記載の携帯型電子機器は、表示面の全面に画像を表示する全画面表示モード、表示面の右辺および下辺に沿うようにして元の画像を相似形状で縮小表示する右手用表示モード、および表示面の左辺および下辺に沿うようにして元の画像を相似形状で縮小表示する左手用表示モードを有し、ユーザから所定の入力操作を受けたときに表示モードを全画面表示モードから右手用表示モードまたは左手用表示モード（あらかじめ設定した方の表示モード）に切り替える。
【０００６】
ところで、病院や介護施設などで使用されるナースコールシステムにおいても、医師や看護師、介護師など（以下、これらをまとめて医療従事者という）が携帯端末を携帯して業務を行うことが多くなっている。例えば、患者から行われたナースコールの呼び出しを医療従事者の携帯端末に報知したり、医療従事者が携帯端末から業務記録を入力したりすることが行われている。
【０００７】
ところが、医療従事者が携帯端末を用いて呼び出しに対する応答操作や情報入力操作をする際に、他の業務の実施中で片手が塞がっている場合がある。この場合、空いている方の手で携帯端末を持って指紋認証を行うことはできるものの、認証によりロック画面が解除された後に表示されるタッチ操作画面で快適に操作を行うことが困難であるという問題があった。片手で携帯端末を持ちながら、その携帯端末を持っている手の指でタッチ操作画面の全域をタッチ操作することが難しいからである。なお、このような問題は、医療や介護の現場以外でも、片手が塞がっている状態でタッチ操作画面を操作する場合には同様に生じる。
【先行技術文献】
【特許文献】
【０００８】
【特許文献１】特開２０１６−１４３０６９号公報
【特許文献２】特開２０１３−２１８４２８号公報
【発明の概要】
【発明が解決しようとする課題】
【０００９】
上述の通り、特許文献１，２には、片手用のタッチ操作画面を表示することが記載されている。しかしながら、この特許文献１，２に記載の技術において、どちらの手で携帯端末を持っているかは考慮されていない。一方、ユーザのどちらの手が塞がっていて、どちらの手が空いているかは、時々の状況によって異なる。そのため、特許文献１，２に記載の技術を用いても、携帯端末を持っている方の手で操作しやすいタッチ操作画面が必ずしも表示されるとは限らないという問題があった。
【００１０】
本発明は、このような問題を解決するために成されたものであり、ユーザが携帯端末を持っている方の手でタッチ操作画面を快適に操作できるようにすることを目的とする。
【課題を解決するための手段】
【００１１】
上記した課題を解決するために、本発明では、右手の指紋情報および左手の指紋情報を登録して記憶部に記憶させておく。そして、携帯端末の指紋センサにより検出された指紋情報が右手の指紋情報または左手の指紋情報に該当するか否かを判定し、右手または左手の何れかの指紋情報に該当すると判定された場合、該当すると判定された方の手で携帯端末を持った状態において当該携帯端末を持った方の手の指が可動し得る範囲としてディスプレイの全表示範囲の中にあらかじめ設定された一部範囲にタッチ操作画面を表示させるようにしている。
【発明の効果】
【００１２】
上記のように構成した本発明によれば、ユーザが片手で携帯端末を操作する場合、ユーザは片手で携帯端末を持ち、その携帯端末を持っている手の指を使って指紋認証を行うことになるが、この認証に成功すると、指紋認証に使った手の指の可動範囲内にのみタッチ操作画面が表示されることとなる。これにより、ユーザが携帯端末を持っている方の手を使って指紋認証に続けて携帯端末のタッチ操作画面を快適に操作することができるようになる。
【図面の簡単な説明】
【００１３】
【図１】本実施形態による携帯端末の画面表示制御装置の機能構成例を示すブロック図である。
【図２】本実施形態による画面表示制御部の動作例を示す図である。
【図３】一部範囲に表示されるタッチ操作画面の他の例を示す図である。
【図４】本実施形態による画面表示制御部の動作例を示す図である。
【発明を実施するための形態】
【００１４】
以下、本発明の一実施形態を図面に基づいて説明する。図１は、本実施形態による携帯端末の画面表示制御装置（以下、単に画面表示制御装置という）の機能構成例を示すブロック図である。本実施形態の画面表示制御装置１０は、スマートフォンやタブレット等の携帯端末に実装され、当該携帯端末のディスプレイ（タッチパネル）に対するタッチ操作画面の表示を指紋認証に応じて制御するものである。
【００１５】
図１に示すように、本実施形態の画面表示制御装置１０は、その機能構成として、操作受付部１１、指紋情報入力部１２、傾き情報入力部１３、指紋情報登録部１４、指紋判定部１５および画面表示制御部１６を備えている。また、本実施形態の画面表示制御装置１０は、不揮発性の記憶媒体から成る記憶部１７を備えている。
【００１６】
上記各機能ブロック１１〜１６は、ハードウェア、ＤＳＰ（Digital Signal Processor）、ソフトウェアの何れによっても構成することが可能である。例えばソフトウェアによって構成する場合、上記各機能ブロック１１〜１６は、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記録媒体に記憶されていてもよい。
【００１７】
操作受付部１１は、携帯端末のタッチパネル２０に対する操作を受け付ける。例えば、操作受付部１１は、指紋登録モードに設定してユーザの指紋情報を携帯端末に登録するための一連のタッチ操作を受け付けて、そのことを指紋情報登録部１４に通知する。また、操作受付部１１は、タッチパネル２０に表示されたタッチ操作画面（アプリケーション起動用のアイコンが整列されたホーム画面や、起動されたアプリケーションにより提供される各種操作画面を含む）に対するタッチ操作を受け付けて、そのことを画面表示制御部１６に通知する。
【００１８】
なお、図２に示すように、携帯端末１００は、その上面に矩形のタッチパネル２０を備えるとともに、タッチパネル２０の下方で幅方向中央の位置に指紋センサ３０を備えている。この指紋センサ３０の配置位置は、ユーザが底面を四指で支えるようにして片手で携帯端末１００を持ったときに、携帯端末１００を持っている手の親指が容易に届く範囲として設計された位置である。
【００１９】
指紋情報入力部１２は、携帯端末１００が備える指紋センサ３０により検出されたユーザの指紋情報を入力する。本実施形態では、ユーザが携帯端末１００を片手で持ってその手で操作を行うことを想定している。この場合、人差し指から小指までの四指は携帯端末１００の底面を支えていて自由に動かせないため、指紋認証は親指で行う。よって、指紋情報入力部１２は、右手親指の指紋情報および左手親指の指紋情報を入力する。
【００２０】
傾き情報入力部１３は、携帯端末１００が備えるモーションセンサ４０により検出された携帯端末１００の上下左右の傾き情報を入力する。モーションセンサ４０は、例えば３軸の加速度センサにより構成され、ユーザが携帯端末１００を傾けると、その携帯端末１００の傾きを３軸方向の傾き情報として検出する。この傾き情報により、ユーザが携帯端末１００のどの方向を上側にして持っているか、つまり矩形形状をしたタッチパネル２０のどの辺を上側にしているかを把握することが可能となっている。
【００２１】
指紋情報登録部１４は、指紋情報入力部１２により入力される右手親指の指紋情報および左手親指の指紋情報を登録して記憶部１７に記憶させる。すなわち、指紋情報登録部１４は、操作受付部１１が受け付けたタッチパネル２０に対する操作に応じて携帯端末１００を指紋登録モードに設定した後、ユーザが指紋センサ３０に左右の親指を順番に近づけることによって検出された左右の親指の指紋情報を指紋情報入力部１２から入力し、これを登録指紋情報として記憶部１７に記憶させる。
【００２２】
指紋判定部１５は、指紋情報登録部１４による指紋情報の登録後に、指紋センサ３０により検出された指紋情報が指紋情報入力部１２より入力された場合、当該指紋センサ３０により検出された指紋情報である入力指紋情報と、記憶部１７に記憶されている登録指紋情報とを比較し、入力指紋情報が右手親指の指紋情報または左手親指の指紋情報に該当するか否かを判定する。このような指紋認証の処理を行うのは、画面表示制御部１６の制御によってタッチパネル２０にロック画面が表示されていて、タッチ操作画面を操作することができないように制限されている場合である。
【００２３】
すなわち、画面表示制御部１６は、タッチパネル２０に表示されたタッチ操作画面を操作していない時間（操作受付部１１がタッチ操作を受け付けていない時間）が所定時間継続した場合に、タッチ操作ができないようにするためのロック画面をタッチパネル２０に表示させる。このロック画面の表示中に指紋情報入力部１２から指紋情報が入力され、その入力指紋情報が右手親指の指紋情報または左手親指の指紋情報の何れかに該当すると指紋判定部１５により判定された場合、画面表示制御部１６は、ロック画面を解除してタッチ操作画面をタッチパネル２０に表示させる。ただし、本実施形態では、タッチパネル２０の全表示範囲ではなく、あらかじめ設定された一部範囲にタッチ操作画面を表示させる。
【００２４】
具体的には、画面表示制御部１６は、入力指紋情報が右手親指の指紋情報または左手親指の指紋情報の何れかに該当すると指紋判定部１５により判定された場合、右手または左手のうち指紋情報が該当すると判定された方の手で携帯端末１００を持った状態においてその手の親指が可動し得る範囲としてタッチパネル２０の全表示範囲の中にあらかじめ設定された一部範囲にタッチ操作画面を表示させる。
【００２５】
すなわち、指紋判定部１５により入力指紋情報が右手親指の指紋情報に該当すると判定された場合、画面表示制御部１６は、ユーザが右手で携帯端末１００を持った状態において右手の親指が可動し得る範囲としてタッチパネル２０の全表示範囲の中にあらかじめ設定された一部範囲にタッチ操作画面を表示させる。また、指紋判定部１５により入力指紋情報が左手親指の指紋情報に該当すると判定された場合、画面表示制御部１６は、ユーザが左手で携帯端末１００を持った状態において左手の親指が可動し得る範囲としてタッチパネル２０の全表示範囲の中にあらかじめ設定された一部範囲にタッチ操作画面を表示させる。
【００２６】
図２は、画面表示制御部１６の動作例を示す図であり、タッチパネル２０に対する画面表示の遷移を示している。なお、図２は、タッチパネル２０の短辺を上下方向とし、長辺を左右方向とする向きに携帯端末１００を持っている場合の表示例を示したものである。ここでは、タッチパネル２０の２つの短辺のうち、指紋センサ３０が設けられていない方の上辺２０Ｕが上側に向けられ、指紋センサ３０が設けられている方の下辺２０Ｄが下側に向けられている。
【００２７】
図２（ａ）は、タッチパネル２０の全表示範囲にタッチ操作画面２１が表示された状態を示している。ここでは一例として、アプリケーション起動用の複数のアイコンが縦横に整列表示されたホーム画面を示している。ユーザは、このタッチ操作画面２１において所望のアイコンをタッチ操作することによりアプリケーションを起動し、さらにアプリケーションにより提供されるタッチ操作画面を操作して所望の処理を行うことが可能である。
【００２８】
ただし、図２（ａ）のように表示されたタッチ操作画面２１をユーザが操作していない時間が所定時間継続すると、画面表示制御部１６は、図２（ｂ）に示すように、タッチ操作ができないようにするためのロック画面２２をタッチパネル２０に表示させる。ロック画面２２は、タッチ操作可能なユーザインタフェースが全く表示されていないブラックアウトされた画面である。このロック画面２２を解除して元のタッチ操作画面２１を表示させるためには、指紋センサ３０に親指を近づけて指紋認証を行う必要がある。
【００２９】
ここで、ユーザが左手の親指を指紋センサ３０に近づけて指紋認証を行うと、指紋情報入力部１２より入力される入力指紋情報が、記憶部１７に登録指紋情報として記憶されている左手親指の指紋情報に該当すると指紋判定部１５により判定される。この場合、画面表示制御部１６は、図２（ｃ）に示すように、ユーザが左手で携帯端末１００を持った状態において左手の親指が可動し得る範囲としてタッチパネル２０の全表示範囲の中にあらかじめ設定された一部範囲にタッチ操作画面２３Ｌを表示させる。
【００３０】
この場合の一部範囲は、タッチパネル２０の左下寄りに設定された所定面積の範囲である。左下寄りの範囲とは、例えば、タッチパネル２０の左辺２０Ｌの所定位置より下方部分および下辺２０Ｄの所定位置より左方部分を含む範囲で、タッチパネル２０の全表示範囲を相似形状で縮小した範囲をいう。この一部範囲に対してタッチ操作画面２３Ｌをどのような態様で表示するかは、任意に設計することが可能である。
【００３１】
例えば、タッチ操作画面２３Ｌは、ロック画面２２が表示される前に表示されていた図２（ａ）のタッチ操作画面２１を一部範囲と同じ比率で縮小した操作画面とすることが可能である。あるいは、タッチ操作画面２３Ｌは、ロック画面２２が表示される前に表示されていた図２（ａ）のタッチ操作画面２１を縮小せず、当該タッチ操作画面２１の一部のみを表示させた操作画面としてもよい。この場合、表示されていない他の部分は、画面をスクロールすることによって表示させることが可能である。
【００３２】
一方、図２（ｂ）に示すようなロック画面２２がタッチパネル２０に表示されている状態で、ユーザが右手の親指を指紋センサ３０に近づけて指紋認証を行うと、指紋情報入力部１２より入力される入力指紋情報が、記憶部１７に登録指紋情報として記憶されている右手親指の指紋情報に該当すると指紋判定部１５により判定される。この場合、画面表示制御部１６は、図２（ｄ）に示すように、ユーザが右手で携帯端末１００を持った状態において右手の親指が可動し得る範囲としてタッチパネル２０の全表示範囲の中にあらかじめ設定された一部範囲にタッチ操作画面２３Ｒを表示させる。
【００３３】
この場合の一部範囲は、タッチパネル２０の右下寄りに設定された所定面積の範囲である。右下寄りの範囲とは、例えば、タッチパネル２０の右辺２０Ｒの所定位置より下方部分および下辺２０Ｄの所定位置より右方部分を含む範囲で、タッチパネル２０の全表示範囲を相似形状で縮小した範囲をいう。この一部範囲に対してタッチ操作画面２３Ｒをどのような態様で表示するかは、任意に設計することが可能である。
【００３４】
なお、タッチパネル２０の長辺を上下方向とし、短辺を左右方向とする向きにしてユーザが携帯端末１００を持っている場合、画面表示制御部１６は、指紋認証の結果に応じて図３のようにタッチ操作画面２３Ｒ’，２３Ｌ’を表示させる。図３（ａ）は、タッチパネル２０の２つの短辺のうち、指紋センサ３０が設けられていない方の上辺２０Ｕが左側に向けられ、指紋センサ３０が設けられている方の下辺２０Ｄが右側に向けられているときの表示例を示すものである。また、図３（ｂ）は、タッチパネル２０の２つの短辺のうち、上辺２０Ｕが右側に向けられ、下辺２０Ｄが左側に向けられているときの表示例を示すものである。
【００３５】
図３（ａ）のような向きにしてユーザが携帯端末１００を右手で持っている場合、画面表示制御部１６は、ユーザが右手で携帯端末１００を持った状態において右手の親指が可動し得る範囲としてタッチパネル２０の全表示範囲の中にあらかじめ設定された一部範囲として、タッチパネル２０の下寄りに設定された所定面積の範囲内にタッチ操作画面２３Ｒ’を表示させる。
【００３６】
下寄りの範囲とは、例えば、タッチパネル２０の右辺２０Ｒと左辺２０Ｌのそれぞれ所定位置より下方部分および下辺２０Ｄの全てを含む範囲で、タッチパネル２０の全表示範囲を相似形状で縮小した範囲をいう。タッチパネル２０の下寄りの範囲であるが、ユーザが携帯端末１００を反時計回りに左回転させて横向きに持っているため、タッチ操作画面２３Ｒ’はユーザから見てタッチパネル２０の右寄りに表示された状態に見える。
【００３７】
このように設定された一部範囲に対してタッチ操作画面２３Ｒ’をどのような態様で表示するかは、任意に設計することが可能である。上述したように、図２（ａ）のタッチ操作画面２１を一部範囲と同じ比率で縮小した操作画面としてもよいし、タッチ操作画面２１の一部のみを表示させた操作画面としてもよい。ただし、この場合のタッチ操作画面２３Ｒ’は、タッチパネル２０の長辺２０Ｒ，２０Ｌを上下方向とする向きに表示される。
【００３８】
一方、図３（ｂ）のような向きにしてユーザが携帯端末１００を左手で持っている場合も、画面表示制御部１６は、ユーザが左手で携帯端末１００を持った状態において左手の親指が可動し得る範囲としてタッチパネル２０の全表示範囲の中にあらかじめ設定された一部範囲として、タッチパネル２０の下寄りに設定された所定面積の範囲内にタッチ操作画面２３Ｌ’を表示させる。下寄りの範囲は、図３（ａ）に示した範囲と同じである。ただし、ユーザが携帯端末１００を時計回りに右回転させて横向きに持っているため、タッチ操作画面２３Ｌ’はユーザから見てタッチパネル２０の左寄りに表示された状態に見える。この場合のタッチ操作画面２３Ｌ’も、タッチパネル２０の長辺２０Ｌ，２０Ｒを上下方向とする向きに表示されるが、図３（ａ）とは上下が逆向きとなる。
【００３９】
以上のように、ロック画面の表示中に指紋認証を行うことによって表示されるタッチ操作画面は、図２（ｃ）、図２（ｄ）、図３（ａ）または図３（ｂ）の何れかである。画面表示制御部１６が何れの態様でタッチ操作画面を表示させるかは、傾き情報入力部１３により入力される携帯端末１００の傾き情報に基づいて決定する。すなわち、画面表示制御部１６は、携帯端末１００のモーションセンサ４０により検出された携帯端末１００の傾き情報に基づいて、携帯端末１００がどの向きとなっているかを把握し、その携帯端末１００の向きに応じて、タッチパネル２０の全表示範囲の中でタッチ操作画面を表示させる一部範囲の位置およびタッチ操作画面の表示の向きを変え、４つの中の何れかの態様でタッチ操作画面を表示させる。
【００４０】
このように、本実施形態によれば、ユーザが携帯端末１００を片手で持ち、その携帯端末１００を持っている手の親指でタッチ操作画面を操作することが可能となる。例えば、ユーザの片手が塞がっている状態で携帯端末１００の操作を行う場合、ユーザは空いている方の手で携帯端末１００を持ち、空いている方の手の親指を使って指紋認証を行うことになる。そして、この認証に成功すると、指紋認証に使った手の親指の可動範囲内にのみタッチ操作画面が表示されることとなる。これにより、ユーザの片手が塞がっている状態であっても、空いている手を使って指紋認証に続けて携帯端末１００のタッチ操作画面を快適に操作することができるようになる。
【００４１】
また、画面表示制御部１６は、以上のようにタッチパネル２０の一部範囲にタッチ操作画面を表示させた後、タッチパネル２０の全表示範囲のうち一部範囲とは異なる他の範囲がタッチ操作された場合に、タッチパネル２０の全表示範囲にタッチ操作画面を表示し直す。図４は、この場合の画面表示制御部１６の動作例を示す図である。図４（ａ）は、図２（ｄ）のようにタッチパネル２０の右下寄りの一部範囲にタッチ操作画面２３Ｒが表示された状態を示している。この状態でユーザが一部範囲とは異なる他の範囲２４をタッチ操作すると、画面表示制御部１６は、図４（ｂ）のようにタッチパネル２０の全表示範囲にタッチ操作画面２１を表示させる。
【００４２】
上述した通り、指紋認証に応じてタッチ操作画面２３Ｒが表示される右下寄りの一部範囲は、ユーザが右手で携帯端末１００を持った状態において、右手の親指が可動し得る範囲としてあらかじめ設定された範囲である。この場合の一部範囲は、右手の親指が可動し得る最大限の範囲として設定しておくのが好ましい。このように一部範囲を設定すると、片手で操作可能なタッチ操作画面２３Ｒの範囲をできるだけ大きくすることができる。
【００４３】
また、親指が可動し得る最大限の範囲を一部範囲として設定すれば、当該一部範囲とは異なる他の範囲２４は、片手では操作することができない範囲となる。よって、他の範囲２４がタッチ操作されたということは、携帯端末１００を持っていない方の手の指を使ってタッチ操作されたか、携帯端末１００をどこかに置いてタッチ操作されたかのどちらかと考えられる。つまり、ユーザがタッチパネル２０の全表示範囲を自由に操作できる状況になったと考えられる。そこで、この場合に画面表示制御部１６は、タッチパネル２０の全表示範囲にタッチ操作画面２１を表示し直す。これにより、ユーザは、全表示範囲に大きく表示されたタッチ操作画面２１を所望の指で快適に操作することができるようになる。
【００４４】
なお、指紋認証に応じてタッチ操作画面が表示される一部範囲は、必ずしも親指が可動し得る最大限の範囲としなくてもよい。最大限の範囲としない場合、親指を最大限に伸ばすと、他の範囲２４に届くことになる。この場合、ユーザは、親指で他の範囲２４をタッチ操作することによってタッチパネル２０の全表示範囲にタッチ操作画面２１を表示させた後に、携帯端末１００を持っていない方の手でタッチ操作画面２１を操作したり、携帯端末１００をどこかに置いてタッチ操作画面２１を操作したりすることが可能である。
【００４５】
以上詳しく説明したように、本実施形態では、右手親指の指紋情報および左手親指の指紋情報をあらかじめ登録して記憶部１７に記憶させておく。そして、携帯端末１００の指紋センサ３０により検出された指紋情報が右手親指の指紋情報または左手親指の指紋情報に該当するか否かを判定し、何れかの指紋情報に該当すると判定された場合、該当すると判定された方の手で携帯端末１００を持った状態において当該手の親指が可動し得る範囲としてタッチパネル２０の全表示範囲の中にあらかじめ設定された一部範囲にタッチ操作画面を表示させるようにしている。このように構成した本実施形態によれば、ユーザが携帯端末１００を持っている方の手を使って指紋認証に続けてタッチ操作画面を快適に操作することができるようになる。
【００４６】
なお、上記実施形態では、図２を用いて説明したように、ロック画面の表示中に指紋認証が行われて、入力指紋情報が右手の指紋情報または左手の指紋情報の何れかに該当すると判定された場合に、ロック画面を解除してタッチパネル２０の一部範囲にタッチ操作画面を表示させる例について説明したが、本発明はこれに限定されない。例えば、図２（ａ）のようにタッチ操作画面が表示されているときに指紋認証が行われ、入力指紋情報が右手の指紋情報または左手の指紋情報の何れかに該当すると判定された場合に、タッチパネル２０の一部範囲にタッチ操作画面を表示させるようにしてもよい。このようにすれば、ユーザが希望する方の手で携帯端末１００を持ってタッチ操作画面を操作したいと考えた場合に、指紋認証を行って一部範囲にのみタッチ操作画面を表示させ、当該タッチ操作画面を快適に操作することができるようになる。
【００４７】
また、上記実施形態では、ロック画面の表示中に指紋認証を行うと必ずタッチパネル２０の一部範囲にタッチ操作画面が表示される例について説明したが、本発明はこれに限定されない。例えば、携帯端末１００を振ってから指紋認証を行った場合は、どちらの手の指で指紋認証を行ったかにかかわらずタッチ操作画面をタッチパネル２０の全表示範囲に表示させ、携帯端末１００を振らずに指紋認証を行った場合は、どちらの手の指で指紋認証を行ったかによってタッチパネル２０の一部範囲にタッチ操作画面を表示させるようにしてもよい。なお、携帯端末１００を振ったか否かは、モーションセンサ４０により検出することが可能である。
【００４８】
また、携帯端末１００をナースコールシステムの携帯型ナースコール親機として用い、ナースコール子機からの呼び出しを携帯端末１００に報知する場合において、以下のようにしてもよい。すなわち、医療従事者がナースコールの呼び出しに応答する際にロック画面を解除するために指紋認証を行った場合は、タッチパネル２０の一部範囲にタッチ操作画面を表示させる。一方、呼び出しに対する応答時以外のときに指紋認証を行った場合は、タッチパネル２０の全表示範囲にタッチ操作画面を表示させる。ナースコールの呼び出しは患者の都合で行われるため、その呼び出しに対する応答時は特に医療従事者が他の業務に携わっていて片手が塞がっている可能性があると考えられるからである。
【００４９】
また、上記実施形態では、タッチパネル２０の全表示範囲の中の一部範囲を、タッチパネル２０の辺に接する位置に設定する例について説明したが、必ずしも辺に接していなくてもよい。例えば、親指を大きく曲げないとタッチ操作できないタッチパネル２０のコーナー領域付近を外して一部範囲を設定するようにしてもよい。
【００５０】
また、上記実施形態では、ユーザが携帯端末１００を持っている向きと、ユーザが指紋認証に使用した手とに応じて、図２（ｃ）、図２（ｄ）、図３（ａ）および図３（ｂ）の４パターンのタッチ操作画面を表示させる例について説明したが、本発明はこれに限定されない。例えば、図２のように、タッチパネル２０の短辺を上下方向とし、長辺を左右方向とする向きに携帯端末１００を持っている場合も、図３と同様の位置（タッチパネル２０の下寄りの位置）にタッチ操作画面を表示するようにしてもよい。ただし、この場合でも、指紋認証に使用した手に応じて表示させるタッチ操作画面の向きは図３の場合と異なる。
【００５１】
あるいは、図３のように、タッチパネル２０の長辺を上下方向とし、短辺を左右方向とする向きに携帯端末１００を持っている場合も、図２と同様の位置にタッチ操作画面を表示するようにしてもよい。すなわち、図３（ａ）の向きに携帯端末１００を持っている場合、図２（ｃ）と同様に、タッチパネル２０の左辺２０Ｌの所定位置より下方部分および下辺２０Ｄの所定位置より左方部分を含む範囲にタッチ操作画面を表示させる。また、図３（ｂ）の向きに携帯端末１００を持っている場合、図２（ｄ）と同様に、タッチパネル２０の右辺２０Ｒの所定位置より下方部分および下辺２０Ｄの所定位置より右方部分を含む範囲にタッチ操作画面を表示させる。ただし、これらの場合でも、指紋認証に使用した手に応じて表示させるタッチ操作画面の向きは図２の場合と異なる。
【００５２】
また、上記実施形態では、タッチパネル２０の一部範囲が、全表示範囲を相似形状で縮小した範囲である例について説明したが、必ずしも相似形状で縮小した範囲とすることは必須でない。
【００５３】
また、上記実施形態では、指紋センサ３０がタッチパネル２０の下方に設けられた携帯端末１００の構成例を示したが、本実施形態の画面表示制御装置１０を適用可能な携帯端末１００はこれに限定されない。例えば、タッチパネル２０の背面側に指紋センサ３０が設けられた携帯端末にも本実施形態の画面表示制御装置１０を適用することが可能である。
【００５４】
また、上記実施形態では、親指の指紋情報を登録して親指で指紋認証を行う例について説明したが、本発明はこれに限定されない。例えば、携帯端末１００上で指紋センサ３０が配置されている位置に応じて、親指以外の指で指紋認証を行うことが可能または好適な場合もある。この場合は、親指以外の指で指紋認証を行った後、親指が可動し得る範囲としてあらかじめ設定された一部範囲にタッチ操作画面を表示させるのが好ましい。一例として、指紋センサ３０が携帯端末１００の裏面（タッチパネル２０とは反対の裏側）に配置されている場合が考えられる。この場合、携帯端末１００を持ったときに裏面から支えている四指のうち何れかの指で指紋認証を行い、認証された方の手に応じたタッチパネル２０上の位置に設定された一部範囲にタッチ操作画面を表示させる。
【００５５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５６】
１０  画面表示制御装置
１１  操作受付部
１２  指紋情報入力部
１３  傾き情報入力部
１４  指紋情報登録部
１５  指紋判定部
１６  画面表示制御部
１７  記憶部
２０  タッチパネル（ディスプレイ）
２１  全表示範囲に表示されたタッチ操作画面
２２  ロック画面
２３Ｒ，２３Ｌ，２３Ｒ’，２３Ｌ’  一部範囲に表示されたタッチ操作画面
２４  一部範囲と異なる他の範囲
３０  指紋センサ
４０  モーションセンサ  
【図１】
2019212116.tif 000003
【図２】
2019212116.tif 000004
【図３】
2019212116.tif 000005
【図４】
2019212116.tif 000006